(57)【要約】【要  約】【課  題】    天井埋込型空気調和装置において、吊りひもの本数を極力少なくするとともに、安定して昇降グリルを上下動させる。【解決手段】  吊りひもを巻取り・繰り出しする昇降装置（３６）が空気吸込口（２２）の右側に設けられている。そして、第１吊りひも（３２）は、前側桟（２４）に沿って左側に延在し、グリル枠（２１）に設けられた第１吊りひも用案内部（５３，５４）に導かれて方向を転換し、昇降グリル（３１）の前部の左側に取り付けられている。第２吊りひも（３３）は、昇降グリルの前部の右側に取り付けられている。第３吊りひも（３４）は、後側桟（２４）に沿って中央部まで延在し、グリル枠に設けられた第３吊りひも用案内部（５５）に導かれて方向を転換し、昇降グリルの後部の中央部に取り付けられている。【選択図】  図１
2005147639.tif 000002
【特許請求の範囲】
【請求項１】
室内機本体の下方にグリル枠が設けられ、このグリル枠は空気吸込口および空気吹出口を具備し、昇降装置が吊りひもを巻取り・繰り出しすることにより、昇降グリルが上下動し、上昇時には昇降グリルがグリル枠の空気吸込口に位置している天井埋込型空気調和装置において、
前記空気吹出口は前記空気吸込口の前後に配置されて、空気吸込口と前側の空気吹出口との間に前側桟が設けられているとともに、空気吸込口と後側の空気吹出口との間に後側桟が設けられており、
前記昇降装置は前記空気吸込口の左側または右側の一方の側に設けられ、
この昇降装置により巻取り・繰り出しされる吊りひもの本数が３本であり、
前記昇降装置からの第１吊りひもが、前側桟に沿って左側または右側の他方の側に延在し、グリル枠に設けられた第１吊りひも用案内部に導かれて方向を転換し、昇降グリルの前部の左側または右側の他方の側に取り付けられ、
前記昇降装置からの第２吊りひもが、昇降グリルの前部の左側または右側の一方の側に取り付けられ、
前記昇降装置からの第３吊りひもが、後側桟に沿って中央部まで延在し、グリル枠に設けられた第３吊りひも用案内部に導かれて方向を転換し、昇降グリルの後部の中央部に取り付けられていることを特徴としている天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、フィルターを掃除したり交換するために、昇降装置で吊りひもを巻取り・繰り出しすることにより昇降グリルを上下動可能にしているものがある。そして、昇降装置と昇降グリルとの間の吊りひもは、たとえば特許文献１や特許文献２に記載されているように、従来４本設けられている。そして、吊りひもの本数が多いと、吊りひもの取付作業が増大するとともに、吊りひもがもつれる可能性が増大する。また、吊りひもの本数が少ないと、昇降グリルが安定せず、昇降時の昇降グリルが不安定となって、円滑な昇降ができなくなることがあるとともに、フィルターの交換作業時に、昇降グリルを手で支える必要が生じ、作業に手間がかかる。
【特許文献１】特開２０００−１８６３３号公報
【特許文献２】特開平１０−１２２５９２号公報
【発明の開示】
【発明が解決しようとする課題】
【０００３】
解決しようとする問題点は、吊りひもの本数が多いと、吊りひもの取付作業が増大するとともに、吊りひもがもつれるおそれがあり、また、吊りひもの本数が少ないと、昇降グリルが安定しないおそれがある点である。
【課題を解決するための手段】
【０００４】
本発明の天井埋込型空気調和装置は、室内機本体（１）の下方にグリル枠（２１）が設けられ、このグリル枠は空気吸込口（２２）および空気吹出口（２３）を具備し、昇降装置（３６）が吊りひも（３２，３３，３４）を巻取り・繰り出しすることにより、昇降グリル（３１）が上下動し、上昇時には昇降グリルがグリル枠の空気吸込口に位置している。そして、前記昇降装置は前記空気吸込口の左側または右側の一方の側に設けられ、この昇降装置により巻取り・繰り出しされる吊りひもの本数が３本であり、前記昇降装置からの第１吊りひもが、前側桟（２４）に沿って左側または右側の他方の側に延在し、グリル枠に設けられた第１吊りひも用案内部（５３，５４）に導かれて方向を転換し、昇降グリルの前部の左側または右側の他方の側に取り付けられ、前記昇降装置からの第２吊りひもが、昇降グリルの前部の左側または右側の一方の側に取り付けられ、前記昇降装置からの第３吊りひもが、後側桟（２４）に沿って中央部まで延在し、グリル枠に設けられた第３吊りひも用案内部（５５）に導かれて方向を転換し、昇降グリルの後部の中央部に取り付けられている。
【発明の効果】
【０００５】
本発明によれば、昇降装置からの第１吊りひもが、前側桟に沿って左側または右側の他方の側に延在し、グリル枠に設けられた第１吊りひも用案内部に導かれて方向を転換し、昇降グリルの前部の左側または右側の他方の側に取り付けられ、昇降装置からの第２吊りひもが、昇降グリルの前部の左側または右側の一方の側に取り付けられ、昇降装置からの第３吊りひもが、後側桟に沿って中央部まで延在し、グリル枠に設けられた第３吊りひも用案内部に導かれて方向を転換し、昇降グリルの後部の中央部に取り付けられている。この様にして３本の吊りひもが、昇降グリルの前部の左右および後部の中央部に取り付けられ、従来の４本よりも少ない本数の吊りひもで昇降グリルを安定して上下動させることができる。その結果、吊りひもの取付作業が容易となるとともに、吊りひもがもつれることを極力防止することができる。
【発明を実施するための最良の形態】
【０００６】
天井埋込型空気調和装置において、吊りひもの本数を極力少なくするとともに、安定して昇降グリルを上下動させるという目的を、昇降装置からの第１吊りひもを、前側桟に沿って左側または右側の他方の側に延在し、グリル枠に設けられた第１吊りひも用案内部に導かれて方向を転換し、昇降グリルの前部の左側または右側の他方の側に取り付け、第２吊りひもを、昇降グリルの前部の左側または右側の一方の側に取り付け、第３吊りひもを、後側桟に沿って中央部まで延在し、グリル枠に設けられた第３吊りひも用案内部に導かれて方向を転換し、昇降グリルの後部の中央部に取り付けることで実現した。
【実施例１】
【０００７】
次に、本発明における天井埋込型空気調和装置の一実施例について、図１ないし図９を用いて説明する。図１は本発明における天井埋込型空気調和装置の実施例の斜視図である。図２はグリル枠、フィルターおよび昇降グリルの分解斜視図である。図３は覆い材を外した状態でのグリル枠の概略の説明図である。図４は覆い材を取り付けた状態で引っ繰り返したグリル枠の概略の斜視図である。図５はグリル枠の平面図である。図６は覆い材を外した状態で引っ繰り返したグリル枠の平面図である。図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。図８はグリル枠の要部平面図である。図９は表示基板およびリミットスイッチの説明図で、（ａ）は表示基板付近における図８の A-A断面図、（ｂ）は図８の B-B断面図である。なお、図１において、昇降グリルはグリル枠に取り付けられた状態と、下降した状態の両方の状態で図示されている。図３において、グリル枠は引っ繰り返した状態で図示され、覆い材および昇降グリルは斜め上方から見た斜視図で図示されている。図５は空気吹出口の上部構造が切断された状態で図示されている。図６は、吊りひも、その案内具および案内ローラが取り付けられた状態で図示されている。図８において、各リード線は複数本を組み合わせて構成されているが、分かりやすいように、１本で図示されている。そして、この明細書の記載において、天井埋込型空気調和装置の長手方向を左右方向とし、２本の吊りひもや表示基板が配置されている側が前側としている。
【０００８】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【０００９】
また、アンカーボルト９が天井内の構造体（図示しない）に取り付けられており、このアンカーボルト９の下端部に室内機本体１の固定フランジ３を固定することにより、室内機本体１は天井内に設置される。
【００１０】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口および吹出口が形成されている。
【００１１】
天井板６の開口部７および室内機本体１の下方は、グリル枠２１で覆われている。このグリル枠２１は、室内機本体１の吸込口および吹出口に対応する位置に、空気吸込口２２および空気吹出口２３を具備している。すなわち、空気吸込口２２がグリル枠２１の中央部に設けられ、この空気吸込口２２を挟んで前後に空気吹出口２３が一対に設けられている。この空気吹出口２３は左右方向に長く設けられている。そして、空気吸込口２２と空気吹出口２３との間には、グリル枠２１の桟２４が設けられ、空気吸込口２２と空気吹出口２３とを仕切っている。また、グリル枠２１は室内機本体１に取り付けられている。
【００１２】
グリル枠２１の空気吸込口２２には、略矩形の昇降グリル３１が配設されている。この昇降グリル３１には、前側の左右および後側の中央部に吊りひも３２，３３，３４が各々取り付けられている。計３本の吊りひも３２，３３，３４の上端は、グリル枠２１の上に設けられている昇降装置３６の巻取りドラム（図示しない）に各々取り付けられている。昇降装置３６の外郭を構成するケースは略直方体の箱形状をしており、そのケースの内側に複数の巻取りドラムや、この巻取りドラムを回転駆動するモータ（図示しない）などが設けられている。巻取りドラムは吊りひも３２，３３，３４毎に設けられている。昇降装置３６はグリル枠２１の上面にネジ止めで取り付けられ、空気吸込口２２の右側（すなわち、横側）で、かつ、前後の空気吹出口２３の延長線の間に配置されている。この昇降装置３６のネジ止め位置は図６において符号８１で示されている。そして、昇降装置３６が稼働して、吊りひも３２，３３，３４を巻取り・繰り出しすると、昇降グリル３１は上下方向に移動する。この昇降グリル３１にフィルター４１が着脱可能に取り付けられており、フィルター４１を着脱する際には、昇降グリル３１を下降させる。そして、昇降グリル３１の最下降時には、前側に行くほど下側となるように約４５°の傾きで停止する。また、空気調和の際には、昇降グリル３１を上昇させて空気吸込口２２に位置させる。そして、グリル枠２１の空気吸込口２２から吸い込まれた空気は、室内機本体１の熱交換器で冷却または加熱されて、グリル枠２１の前後の空気吹出口２３から吹き出される。
【００１３】
次に、吊りひも３２，３３，３４の配線を説明する。前述のように、昇降装置３６はグリル枠２１上に設置されている。このグリル枠２１には、吊りひも３２，３３，３４用の貫通孔４２，４３，４４が形成されている。また、グリル枠２１の桟２４の下方に吊りひも３２，３４が通る吊りひも通路空間４６，４７〔図４および図９（ａ）参照〕を形成すべく、桟２４の下側に覆い材５１，５２が取り付けられている。この覆い材５１，５２は、上面が開口した細長い箱形状をしており、細長い長方形の底板およびこの底板の周辺（すなわち、４辺）から立ち上がる側板とを有している。
【００１４】
さらに、図６に図示するように、グリル枠２１の左側には、前側の桟２４の横側付近に、案内具５３および案内ローラ５４がグリル枠２１の下面に取り付けられて設けられている。この案内具５３および案内ローラ５４は、第１吊りひも３２を案内する案内部を構成している。案内具５３は、図７（ａ）に図示するように、第１吊りひも３２の通る開口５３ａを有しており、貫通孔４２からの第１吊りひも３２がこの開口５３ａを通ることにより、左右方向に延在してきた第１吊りひも３２の方向を案内ローラ５４側に導いている。案内ローラ５４は、案内具５３から略水平に延在してきた第１吊りひも３２を下向きに方向転換させている。
【００１５】
また、後側の桟２４の中央部の縁付近に、第３吊りひも用案内部である案内具５５がグリル枠２１の下面に取り付けられて設けられている。案内具５５は、案内具５３と同様な構造をしており、第３吊りひも３４の通る開口を有しており、貫通孔４４からの第３吊りひも３４がこの案内具５５の開口を通ることにより、左右方向に延在してきた第３吊りひも３４を、前側（すなわち、空気吸込口２２側）に導くとともに、下側に方向転換させている。
【００１６】
グリル枠２１はこの様に構成されており、昇降装置３６からの第１吊りひも３２は、グリル枠２１の第１貫通孔４２を通って、前側の吊りひも通路空間４６に導入され、吊りひも通路空間４６を右側から左側へ通り、吊りひも通路空間４６の左端部で、案内具５３を介して、覆い材５１とグリル枠２１との間に形成された吊りひも導出開口から覆い材５１の外側に導き出され、案内ローラ５４で下向きに方向転換されて、昇降グリル３１の左前側に取り付けられている。昇降装置３６からの第２吊りひも３３は、グリル枠２１の第２貫通孔４３を通って、グリル枠２１の下方に導かれ、昇降グリル３１の右前側に取り付けられている。昇降装置３６からの第３吊りひも３４は、グリル枠２１の第３貫通孔４４を通って、後側の吊りひも通路空間４７に導入され、吊りひも通路空間４７を右側から左側へ通り、吊りひも通路空間４７の中央部付近で、案内具５５を介して、覆い材５２とグリル枠２１との間に形成された吊りひも導出開口から覆い材５２の外側に導き出されて、昇降グリル３１の後側の中央部に取り付けられている。
【００１７】
上述のように、各吊りひも３２，３３，３４の先端部は、昇降グリル３１の上面に取り付けられているが、その取付構造は図７（ｃ）〜（ｅ）に図示されている。吊りひも３２，３３，３４の先端部を、金属製のスリーブ３７に通してカシメて一体化し、このスリーブ３７を固定部である押さえ部材３８で昇降グリル３１に押しつけて固定している。押さえ部材３８よりも内側には、フィルター４１が存在している。
【００１８】
また、前側の覆い材５１の一部には、表示用の透明板５６が設けられ、この透明板５６の上方に、空気調和装置の状況（運転のＯＮ−ＯＦＦ、タイマーのＯＮ−ＯＦＦ、警報ランプなど）を表示するための表示基板５７が配置されている。この表示基板５７はリモコンの受信部を具備している。そして、表示基板５７からのリード線５８は、グリル枠２１の本体に形成されたリード線用貫通孔としての長穴５９を通って、吊りひも通路空間４６からグリル枠２１の上方に導き出されている。この長穴５９の周辺（すなわち、後側の縁部）にグリル枠２１の本体の下面から下方に突出する縦リブ６１が設けられており、この縦リブ６１の前側に表示基板５７からのリード線５８が配線され、一方、縦リブ６１の後側に第１吊りひも３２が配線される。
【００１９】
さらに、グリル枠２１の前側の桟２４には、リミットスイッチ用の固定部６７が張り出している。この固定部６７にリミットスイッチ固定具６８を介してリミットスイッチ６６が取り付けられる。リミットスイッチ固定具６８は、固定部６７にビス止めなどで取り付けられる水平部６９と、この水平部６９から垂下する垂直部７１とを有しており、この垂下する垂直部７１にリミットスイッチ６６がビスなどで取り付けられている。昇降グリル３１が上昇して所定位置に収容されると、昇降グリル３１の上面がリミットスイッチ６６の検知レバー７２の先端に当接して上昇させ、リミットスイッチ６６から昇降グリル検出信号が出力する。
【００２０】
そして、リミットスイッチ６６からのリード線７３は、水平部６９に設けられた切欠き７４を通って、桟２４の上方に配線される。そして、このリード線７３は、表示基板５７からのリード線５８に合流して、桟２４に設けられたリード線固定爪７６で固定される。合流したリード線５８，７３は、前後の空気吹出口２３のルーバを駆動するモータのためのルーバ駆動用のリード線７５，７５とともに結束具７７で結束、固定されている。上記リード線固定爪７６は、この結束具７７による結束位置と長穴５９との間の位置に配置されている。結束具７７で結束されたリード線５８，７３，７５，７５は、昇降装置３６の駆動モータ用のリード線（図示しない）とともに、室内機本体１の電装箱内の基板（図示しない）に接続されている。
【００２１】
前述の様に、上記実施例においては、昇降グリル３１の前側の左右および後側の中央部に吊りひも３２，３３，３４が各々取り付けられており、３本の吊りひも３２，３３，３４で昇降グリル３１を安定して昇降させることができる。その結果、吊りひもの本数を従来の４本よりも少なくすることができ、取付作業やコストを削減することができる。
また、前側の２本の吊りひも３２，３３の繰り出し量が、後側の第３吊りひも３４の繰り出し量よりも多くなっており、昇降グリル３１の最下降時には、前側に行くほど下側となる。したがって、昇降グリル３１が水平な場合よりも、フィルター４１の交換や清掃が容易となる。しかも、その際に、前側の吊りひもが中央部ではなく、左右に振り分けられており、作業が容易となる。
【００２２】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００２３】
（１）昇降装置は、吊りひもを巻き上げ・繰り出しができるならば、その構造や形式は適宜変更可能である。
（２）室内機本体１を天井内の構造体に支持させるための固定手段は適宜変更可能である。
（３）覆い材５１，５２は、グリル枠２１の桟２４の下面との間に吊りひも通路空間４６，４７を形成することができるならば、その形状、構造や材質などは適宜変更可能である。
（４）昇降装置３６の配置位置は空気吸込口２２の右側でも左側でも可能である。
【産業上の利用可能性】
【００２４】
グリル枠に設けられた昇降装置が吊りひもを巻取り・繰り出しすることにより、昇降グリルが上昇・下降する天井埋込型空気調和装置に適用することができる。
【図面の簡単な説明】
【００２５】
【図１】図１は本発明における天井埋込型空気調和装置の実施例の斜視図である。
【図２】図２はグリル枠、フィルターおよび昇降グリルの分解斜視図である。
【図３】図３は覆い材を外した状態でのグリル枠の概略の説明図である。
【図４】図４は覆い材を取り付けた状態で引っ繰り返したグリル枠の概略の斜視図である。
【図５】図５はグリル枠の平面図である。
【図６】図６は覆い材を外した状態で引っ繰り返したグリル枠の平面図である。
【図７】図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。
【図８】図８はグリル枠の要部平面図である。
【図９】図９は表示基板およびリミットスイッチの説明図で、（ａ）は表示基板付近における図８の A-A断面図、（ｂ）は図８の B-B断面図である。
【符号の説明】
【００２６】
１  室内機本体
２１  グリル枠
２２  空気吸込口
２３  空気吹出口
２４  桟
３１  昇降グリル
３２  第１吊りひも
３３  第２吊りひも
３４  第３吊りひも
３６  昇降装置
５３  案内具（第１吊りひも用案内部）
５４  案内ローラ（第１吊りひも用案内部）
５５  案内具（第３吊りひも用案内部）
【図１】
2005147639.tif 000003
【図２】
2005147639.tif 000004
【図３】
2005147639.tif 000005
【図４】
2005147639.tif 000006
【図５】
2005147639.tif 000007
【図６】
2005147639.tif 000008
【図７】
2005147639.tif 000009
【図８】
2005147639.tif 000010
【図９】
2005147639.tif 000011